(57)【要約】【課題】撮影等の各種作業を安全に行うことができるヘルメットを提供する。【解決手段】帽体１１の表面の前頭部に設けられるレール１０と、そのレール１０に可動自在に取り付けられ、帽体１１の表面の前頭部を補強するバイザー２０とを備えるものである。これにより、バイザー２０の取り付け位置を調整することができ、ヘルメット１からバイザー２０を容易に脱着できる。また、帽体１１の破壊を防止できる。この結果、ヘルメットを脱いだり、ずらしたりせずに、撮影等の各種作業を安全に、かつ、迅速に行うことができる。【選択図】図１
2010168711.tif 000002
【特許請求の範囲】
【請求項１】
帽体の表面の一部に設けられるレールと、
前記レールに可動自在に取り付けられ、前記帽体の表面の一部を補強するバイザーとを備えることを特徴とするヘルメット。
【請求項２】
前記レールには第１の固定手段が設けられ、
前記第１の固定手段は、
前記バイザーを前記レールに固定することを特徴とする請求項１に記載のヘルメット。
【請求項３】
前記バイザーには第２の固定手段が設けられ、
前記第２の固定手段は、
前記バイザーを前記レールに固定することを特徴とする請求項１又は２に記載のヘルメット。
【請求項４】
前記バイザーには、
少なくとも、防護眼鏡付バイザー、送風機付バイザー、照明付バイザーのうちいずれかが使用されることを特徴とする請求項１乃至３のいずれかに記載のヘルメット。
【請求項５】
前記帽体の裏面の他部には、
冷却材が挿入される冷却材挿入部が設けられることを特徴とする請求項１乃至４のいずれかに記載のヘルメット。
【発明の詳細な説明】
【技術分野】
【０００１】
本発明は、撮影機能や照明機能等を有するヘルメットに関するものである。詳しくは、帽体の表面の一部に設けられるレールと、そのレールに可動自在に取り付けられ、帽体の表面の一部を補強するバイザーとを備えることにより、バイザーの取り付け位置を調整することができ、ヘルメットからバイザーを容易に脱着でき、帽体の破壊を防止できるようにしたものである。
【背景技術】
【０００２】
現在、労働安全衛生法にて、「労働者の危険を防止するための措置」が定められており、特定の作業を行う際、頭部に対する危険を防止するための保護具としてヘルメットを着用することが義務付けられている。また、近年、ヘルメットの使用者の頭部を保護するだけでなく、各種機能を有するヘルメットが開発されている。
【０００３】
特許文献１には、撮影機能付きヘルメットが開示されている。このヘルメットによれば、帽体とこの帽体内に装着される内装との間に撮影装置用の空間が設けられるものである。これにより、ヘルメットに撮影装置を内蔵することができる。
【０００４】
特許文献２には、多機能ユニット付ヘルメットが開示されている。このヘルメットによれば、帽体の前頭部から側頭部まで溝を設け、その溝に撮影装置や照明装置等のユニットを嵌め込むようにしたものである。これにより、使用者がユニットを適宜交換することで状況に合わせた作業を行うことができる。
【先行技術文献】
【特許文献】
【０００５】
【特許文献１】特開２００６−１７６９３１号公報（第１図）
【特許文献２】特開２００７−３０８８５５号公報（第６図）
【発明の概要】
【発明が解決しようとする課題】
【０００６】
ところで特許文献１及び２によれば、ヘルメットに設けられた撮影装置で撮影をする際に、そのヘルメットの重量が大きいため構図決めが困難であるという問題がある。また、ヘルメットに設けられる撮影装置はそのヘルメット専用の撮影装置であり、汎用性が無いという問題がある。汎用性のある撮影装置を用いて使用する場合、ヘルメットを脱いだり、ずらしたりしなければ撮影することは困難である。
【０００７】
そこで、本発明は上述の課題を解決したものであって、ヘルメットの重量を大きくせずに、また、ヘルメットを脱いだり、ずらしたりせずに、撮影等の各種作業を安全に行うことができるヘルメットを提供することを目的とする。
【課題を解決するための手段】
【０００８】
本発明に係るヘルメットは、帽体の表面の一部に設けられるレールと、そのレールに可動自在に取り付けられ、帽体の表面の一部を補強するバイザーとを備えることを特徴とするものである。
【０００９】
本発明に係るヘルメットによれば、レールが帽体の表面の一部に設けられ、バイザーはそのレールに可動自在に取り付けられるので、バイザーの取り付け位置を調整することができ、ヘルメットからバイザーを容易に脱着できる。また、バイザーは帽体の表面の一部を補強するので、帽体の破壊を防止できる。
【発明の効果】
【００１０】
本発明に係るヘルメットによれば、バイザーの取り付け位置を調整することができ、ヘルメットからバイザーを容易に脱着でき、帽体の破壊を防止できるので、ヘルメットを脱いだり、ずらしたりせずに、撮影等の各種作業を安全に、かつ、迅速に行うことができる。
【図面の簡単な説明】
【００１１】
【図１】（Ａ）は、第１の実施の形態に係るヘルメット１の構成例及びバイザー２０の取り付け例を示す正面図であり、（Ｂ）は、バイザー２０を取り付けた後の正面図である。
【図２】（Ａ）は、ヘルメット１の構成例及びバイザー２０の取り付け例を示す側面図であり、（Ｂ）は、バイザー２０を取り付けた後の正面図である。
【図３】図１（Ｂ）のａ−ａ線で切断したヘルメット１の要部構成例を示す断面図である。
【図４】ヘルメット１の装着例（その１）を示す説明図である。
【図５】ヘルメット１の装着例（その２）を示す説明図である。
【図６】第２の実施の形態に係るバイザー３０の構成例を示す正面図である。
【図７】バイザー３０の構成例を示す裏面図である。
【図８】第３の実施の形態に係るバイザー４０の構成例を示す正面図である。
【図９】バイザー４０の構成例を示す裏面図である。
【図１０】第４の実施の形態に係るバイザー５０の構成例を示す正面図である。
【図１１】バイザー５０の構成例を示す裏面図である。
【図１２】第５の実施の形態に係るヘルメット２の構成例を示す正面図である。
【図１３】ヘルメット２の構成例を示す側面図である。
【発明を実施するための形態】
【００１２】
以下、図面を参照しながら、本発明に係るヘルメットについて説明する。  
＜第１の実施の形態＞  
本発明に係るヘルメット１は、帽体１１の表面の一部に設けられるレール１０と、そのレール１０に可動自在に取り付けられ、帽体１１の表面の一部を補強するバイザー２０とを備えることで、バイザー２０の取り付け位置を調整でき、ヘルメット１からバイザー２０を容易に脱着でき、帽体１１の破壊を防止できるようにしたものである。
【００１３】
［ヘルメット１の構成例］  
図１及び図２に示すように、本発明に係るヘルメット１は、ヘルメット本体部１５及びバイザー２０で構成される。ヘルメット本体部１５は、レール１０、帽体１１、通気孔１２、固定ベルト１３及び第１の固定手段である第１のストッパ（以下、ストッパ１４という）を備える。バイザー２０は、固定つまみ２１、緩衝材２２、固定金具２３、第２の固定手段である第２のストッパ（以下、ストッパ２４という）及びバイザー本体部２５を備える。
【００１４】
帽体１１の表面の前頭部にはレール１０が設けられる。レール１０と、バイザー２０が有する固定金具２３とが係合してバイザー２０がヘルメット本体部１５に取り付けられる（図３参照）。レール１０は、鉄、銅、アルミニウム又はそれらの合金等の金属製のものが望ましい。レール１０の一端にはストッパ１４が設けられる。また、固定金具２３の一端にはストッパ２４が設けられる。ストッパ１４と固定金具２３の他端とが当接し、かつ、ストッパ２４とレール１０の他端とが当接することで、ヘルメット本体部１５にバイザー２０が固定される。なお、上述では、ストッパ１４及びストッパ２４の両方を設けるヘルメット１を説明したが、ストッパ１４及びストッパ２４のどちらか一方のみを設けてもよい。また、３つ以上ストッパを設けても構わない。
【００１５】
ヘルメット本体部１５とバイザー２０との固定は、固定つまみ２１を使用して固定する。固定つまみ２１は、ネジで構成されたものである。ヘルメット本体部１５にバイザー２０を取り付けたら、ヘルメット１の使用者（以下、単に使用者という）が固定つまみ２１をまわすことで、ヘルメット本体部１５とバイザー２０とが固定される。また、固定つまみ２１はバネで構成されていてもよい。その場合、使用者が手で固定つまみ２１をヘルメット１に対して外側方向に引っ張りながら帽体１１にバイザー２０を取り付けた後、当該固定つまみ２１を使用者の手から離すことでヘルメット本体部１５とバイザー２０とが固定される。バイザー２０は、帽体１１の表面の前頭部を覆うようにヘルメット本体部１５に固定される。これにより、帽体１１の表面の前頭部が補強され、外部からの衝撃による帽体１１の破壊を防止できる。
【００１６】
帽体１１には通気孔１２が設けられる。通気孔１２は、使用者の頭部に外気を通気させて、頭部の熱気を冷却する機能を有する。これにより、使用者は快適に各種作業を行うことができる。また、帽体１１には固定ベルト１３が設けられる。固定ベルト１３は、ヘルメット１を使用者に固定させるものであり、伸縮性のある合成繊維やゴム等で作製される。バイザー本体部２５には緩衝材２２が設けられる。緩衝材２２は、例えば、使用者がカメラ９０（図５参照）で撮影するときに、バイザー２０によってカメラ９０に傷がつくのを防止するためのものである。緩衝材２２は、ゴム等の弾性部材で作製されることが好ましい。
【００１７】
［ヘルメット１の装着例］  
次にヘルメット１の装着例について説明する。ヘルメット本体部１５とバイザー２０とは固定されていることを前提とする。図４に示すように、使用者は、各種作業をする際にヘルメット１を装着する。その際、固定ベルト１３を使用者のあごに引っ掛けてヘルメット１を当該使用者に固定する。固定ベルト１３は伸縮性のある合成繊維やゴムで構成されるので、締め付けの強いことによる使用者の不快感は解消される。
【００１８】
図５に示すように、カメラ本体部９１、ファインダ９２、レンズ９３等で構成されるカメラ９０を用いて撮影を行う際、使用者がファインダ９２を覗くとカメラ本体部９１の上部が緩衝材２２に接触すると共に、バイザー２０が可動自在に取り付けられるので当該バイザー２０は上方へ移動する。ヘルメット本体部１５は使用者に固定されており安全が確保される。固定つまみ２１がネジで構成されている場合には、使用者はファインダ９２を覗く前に、当該固定つまみ２１をまわして固定を解除させておく。
【００１９】
このように、本実施の形態によるヘルメット１によれば、帽体１１の表面の頭部に設けられるレール１０と、そのレール１０に可動自在に取り付けられ、帽体１１の表面の頭部を補強するバイザー２０とを備えるものである。これにより、バイザー２０の取り付け位置を調整することができ、ヘルメット１からバイザー２０を容易に脱着できる。また、帽体１１の破壊を防止することができる。この結果、ヘルメットを脱いだり、ずらしたりせずに、撮影等の各種作業を安全に、かつ、迅速に行うことができる。
【００２０】
＜第２の実施の形態＞  
本実施の形態では、前述のバイザー２０に防護眼鏡の機能を設けたバイザー３０について説明する。第２の実施の形態について、前述の実施の形態と同じ名称及び符号のものは同じ機能を有するので、その説明を省略する。
【００２１】
図６及び７に示すように、バイザー３０は、固定つまみ２１、固定金具２３、ストッパ２４、バイザー本体部２５及び防護眼鏡３１で構成される。
【００２２】
防護眼鏡３１は、バイザー本体部２５に設けられる。防護眼鏡３１は、ポリカーボネートやアクリル等のエンジニアリングプラスチック材料で形成されており、使用者の眼を保護する機能を有する。例えば、ボール盤で作業を行う際に、当該防護眼鏡３１を備えるバイザー３０を前述の実施の形態で説明したヘルメット本体部１５に取り付けることで、安全に、かつ、迅速に作業を行うことができる。
【００２３】
このように、本実施の形態によるバイザー３０によれば、当該バイザー３０をヘルメット本体部１５に取り付けることができるので、使用者の眼を保護することができる。これにより、使用者の両耳に防護眼鏡を固定するわずらわしさが解消される。
【００２４】
＜第３の実施の形態＞  
本実施の形態では、前述のバイザー２０に送風機能を設けたバイザー４０について説明する。第３の実施の形態について、第１の実施の形態と同じ名称及び符号のものは同じ機能を有するので、その説明を省略する。
【００２５】
図８及び９に示すように、バイザー４０は、固定つまみ２１、固定金具２３、ストッパ２４、バイザー本体部２５、電源の一例である乾電池２６、送風機４１及び電源スイッチ４３で構成される。
【００２６】
送風機４１は、バイザー本体部２５の裏面にネジ等で固定される。電源スイッチ４３をＯＮすることで、乾電池２６から電気エネルギーが送風機４１に供給され、送風機４１の図示しないファンが回転して、使用者に向けて送風が出力される。例えば、周囲の環境温度が高いときに、当該送風機４１を備えるバイザー４０を前述の実施の形態で説明したヘルメット本体部１５に取り付けて送風機４１を駆動させることで、安全に、かつ、快適に各種作業を行うことができる。
【００２７】
このように、本実施の形態によるバイザー４０によれば、当該バイザー４０をヘルメット本体部１５に取り付けて送風機４１を駆動させることができるので、熱中症や日射病を予防することができる。
【００２８】
なお、乾電池２６は、ヘルメット本体部１５に設けてもよい。また、帽体１１の表面に太陽電池を設けて、その太陽電池を電源としてもよい。
【００２９】
＜第４の実施の形態＞  
本実施の形態では、前述のバイザー２０に照明機能を設けたバイザー５０について説明する。第４の実施の形態について、第１の実施の形態と同じ名称及び符号のものは同じ機能を有するので、その説明を省略する。
【００３０】
図１０及び１１に示すように、バイザー５０は、固定つまみ２１、固定金具２３、ストッパ２４、バイザー本体部２５、乾電池２６、照明装置５１及び電源スイッチ４３で構成される。
【００３１】
照明装置５１は、白熱電球、ＬＥＤ、有機ＥＬ等の自発光性を有し、照明としての機能を有するものである。照明装置５１は、バイザー本体部２５にネジ等で固定される。電源スイッチ４３をＯＮすることで、乾電池２６から電気エネルギーが照明装置５１に供給され、照明装置５１が点灯する。例えば、周囲の環境が暗いときに、当該照明装置５１を備えるバイザー５０を前述の実施の形態で説明したヘルメット本体部１５に取り付けて照明装置５１を駆動させることで、より安全に作業を行うことができる。
【００３２】
このように、本実施の形態によるバイザー５０によれば、当該バイザー５０をヘルメット本体部１５に取り付けて照明装置５１を駆動させることができるので、暗所での作業性を向上させることができる。
【００３３】
＜第５の実施の形態＞  
本実施の形態では、前述のヘルメット１に照明機能及び冷却機能を設けたヘルメット２について説明する。第５の実施の形態について、第１の実施の形態と同じ名称及び符号のものは同じ機能を有するので、その説明を省略する。
【００３４】
図１２及び１３に示すようにヘルメット２は、バイザー２０及びヘルメット本体部６０で構成される。ヘルメット本体部６０は、レール１０、帽体１１、固定ベルト１３、ストッパ１４、固定照明装置６１及び冷却材挿入部６２で構成される。
【００３５】
冷却材挿入部６２は、帽体１１の裏面の後頭部に設けられ、後述する冷却材６５を挿入可能である。冷却材挿入部６２は、冷却材係合部６３を備え、冷却材６５が有する冷却材係合部６４と係合して当該冷却材６５をヘルメット本体部６０に固定する。
【００３６】
冷却材６５には、例えば、高吸水性樹脂等が使用される。高吸水性樹脂は、高い吸水性を有した樹脂材料であり、例えば、ポリアクリル酸ナトリウム等で構成される。冷却材６５は、冷却材挿入部６２に挿入され、使用者の後頭部を冷却するようになされる。
【００３７】
固定照明装置６１は、白熱電球、ＬＥＤ、有機ＥＬ等の自発光性を有し、照明としての機能を有するものである。固定照明装置６１は、帽体１１に固定される。電源スイッチ６６をＯＮにすることで、図示しない乾電池から電気エネルギーが固定照明装置６１に供給され、固定照明装置６１が点灯する。例えば、周囲の環境が暑いとき及び暗いときに、当該固定照明装置６１及び冷却材挿入部６２を備えるヘルメット２を使用することで、より安全かつ、より快適に作業を行うことができる。
【００３８】
このように、本実施の形態によるヘルメット２によれば、固定照明装置６１及び冷却材挿入部６２を備えるので、熱中症を予防し、暗所でも快適に作業を行うことができる。
【産業上の利用可能性】
【００３９】
本発明は、撮影機能や照明機能等の多機能を有するヘルメットに対して極めて好適である。
【符号の説明】
【００４０】
１，２  ヘルメット
１０  レール
１１  帽体
１２  通気孔
１３  固定ベルト
１４  第１のストッパ
１５，６０  ヘルメット本体部
２０，３０，４０，５０  バイザー
２１  固定つまみ
２２  緩衝材
２３  固定金具
２４  第２のストッパ
２５  バイザー本体部
２６  乾電池
３１  防護眼鏡
４１  送風機
４３，６６  電源スイッチ
５１  照明装置
６１  固定照明装置
６２  冷却材挿入部
６３，６４  冷却材係合部
６５  冷却材
【図１】
2010168711.tif 000003
【図２】
2010168711.tif 000004
【図３】
2010168711.tif 000005
【図４】
2010168711.tif 000006
【図５】
2010168711.tif 000007
【図６】
2010168711.tif 000008
【図７】
2010168711.tif 000009
【図８】
2010168711.tif 000010
【図９】
2010168711.tif 000011
【図１０】
2010168711.tif 000012
【図１１】
2010168711.tif 000013
【図１２】
2010168711.tif 000014
【図１３】
2010168711.tif 000015